(57)【特許請求の範囲】
【請求項１】
グリップスリーブ（１１）と、
グリップスリーブ（１１）内に縦方向に延び、かつ半径方向またはさらに軸方向に弾性的に柔軟な仕方でその中に取り付けられ、その前端が器具（３）のための解除自在の器具カップリング（４）のカップリング要素を構成する振動ロッド（１３）と、
グリップスリーブ（１１）において配置された定置部分（２１）と、
振動を振動ロッド（１３）に伝達するための振動発生機構（３１）を備える医療用または歯科医療用治療機器（１）であって、
振動ロッド（１３）は、互いに２つの側で並ぶ２つの突出るピン（２６）を備え、そこにおいて弾性的に圧縮可能な材料のリング（２８）が設けられ、それによりピン（２６）は、定置部分（２１）における窪み（２７）において係合することを特徴とする医療用または歯科医療用治療機器。
【請求項２】
前記ピン（２６）のそれぞれは断面形状が丸いことを特徴とする請求項１に記載の医療用または歯科医療用治療機器。
【請求項３】
グリップスリーブ（１１）の先端部において、弾性的に圧縮自在のベアリングスリーブ（１４）は挿入され、軸方向に固定され、その内周面において、少なくとも１つのベアリングリング（１５ａ，１５ｂ）は配置され、それはしっかりと振動ロッド（１３）を囲み、支持することを特徴とする請求項１または２に記載の医療用または歯科医療用治療機器。
【請求項４】
前記ベアリングスリーブ（１４）は、ゴムまたはプラスチックから構成されることを特徴とする請求項３に記載の医療用または歯科医療用治療機器。
【請求項５】
前記ベアリングスリーブ（１４）は、シリコーンから構成されることを特徴とする請求項３に記載の医療用または歯科医療用治療機器。
【請求項６】
前記ベアリングスリーブ（１４）は、２つのベアリングリング（１５ａ，１５ｂ）から構成される内周面に、互いに軸方向に離間し、そして、それらは、振動ロッド（１３）をしっかりと囲みそして支持することを特徴とする請求項３乃至５の何れかに記載の医療用または歯科医療用治療機器。
【請求項７】
その外表面においてベアリングスリーブ（１４）は、１または２つの半径方向の突起部（１６ａ，１６ｂ）を備え、前記突起部は、軸方向に互いに離間し、それぞれが、グリップスリーブ（１１）の内側表面においてラッチ窪み（１７ａ，１７ｂ）において弾性的に固定されることを特徴とする請求項３乃至６のいずれかに記載の医療用または歯科医療用治療機器。
【請求項８】
グリップスリーブ（１１）は、その断面サイズにおいて前方にまとまり、グリップスリーブ（１１）の内表面のまとまりが、ベアリングスリーブ（１４）の前方の移動に対して停止部を形成するように、前記ベアリングスリーブ（１４）が前方にまとまっていることを特徴とする請求項３乃至７のいずれかに記載の医療用または歯科医療用治療機器。
【請求項９】
振動発生機構（３１）は、振動ロッド（１３）に配置された空気式の振動発生機構であることを特徴とする請求項１乃至８のいずれかに記載の医療用または歯科医療用治療機器。
【請求項１０】
空気式振動発生機構（３１）は、振動ロッド（１３）の中間部分に配置され、ベアリングスリーブ（１４）により囲まれていることを特徴とする請求項９に記載の医療用または歯科医療用治療機器。
【請求項１１】
減衰スリーブ（３５）は、振動発生機構（３１）とベアリングスリーブ（１４）との間に配置されることを特徴とする請求項１０に記載の医療用または歯科医療用治療機器。
【発明の詳細な説明】
【０００１】
【発明の属する技術分野】
本発明は、請求項１の前提項による、即ち、グリップスリーブと、グリップスリーブ内に縦方向に延び、かつ半径方向またはさらに軸方向に弾性的に柔軟な仕方でその中に取り付けられ、その前端が器具のための解除自在の器具カップリングのカップリング要素を構成する振動ロッドと、グリップスリーブにおいて配置された定置部分と、振動を振動ロッドに伝達するための振動発生機構を備える医療用または歯科医療用治療機器に関する。
【０００２】
【従来の技術】
医療または医療歯科の技術において、人間または動物の体、もしくはその人工的な部分(人工的補欠物)の治療は、種々の方法で治療機器の器具を使用して実施できる。多くの場合に、その形状を変えることなく体の治療だけを必要とする。ここには、例えばマッサージの仕方での表面治療を含むことができる。治療の他の種類としては、例えば物質除去作業を伴う場合におけるように体の形状を変えることが含まれる。適切に設計された当該種類の治療器具を使用して、周波数が特に音波または超音波の範囲にある振動駆動機構により工具が振動させられる。作動騒音は、振動駆動機構が空気式振動発生機構の場合に、特にひどく、妨害となる。ドイツ公報１９７  ５１  ６８２  Ａ１において、空洞部作業用に備えられる物質除去器具用の空気式振動駆動機構を有する治療機器が記載されている。騒音減少のために、その振動発生機構は鋼製スリーブで囲まれる。
【０００３】
【発明が解決しようとする課題】
本発明の目的は、コンパクトな構造が達成されるように、請求項１の導入部において示されるこの種の治療機器を構成することにある。
【０００４】
【課題を解決するための手段】
この目的は、請求項１の特徴により達成される。本発明の有利な発展は、関連する従属項に示される。
【０００５】
本発明の構成により、振動ロッドは、ベース部分と、このベース部分へ接続される追加の装着部分とからなり、装着部分は、ベース部分に固定され、かつ好ましくはベース部分よりも大きい密度を有する装着部分とから構成される。サイズまたは容積に関して大きい質量を有する振動ロッドが提案され、それにより、既知の構造の振動ロッドでは達成できないそのような大きさの所要の振動幅乃至振幅を達成できる。互いに固定される２つの部分を有する振動ロッドが形成されるために、その接続部の軸方向位置が、部分的な質量の合計が振動システムのニーズに適応されるように選択されることにおいて、振動ロッドの製造において特定のサイズの質量を実現することができる。この位置または質量は、例えば、実験により決定されることができるので、同一または増加しない構造的なサイズを実現できる。それによりこの振動ロッドは、製造が簡単である経済的な構造により識別される。この経済的な構造は、通常の物質、すなわち鋼またはステンレス鋼、もしくは銅／ベリリウム合金（ＣｕＢｅ）のものよりも密度が大きい物質は高価であるということで、提供される。振動ロッドをそのような密度が大きくかつ高価な材料から製造したならば、大きい密度の材料は材料除去機械加工による加工が一層困難かつ複雑になるので、製造コストが高くなるのはさけられないばかりでなく、製造が困難かつ複雑になるであろう。さらに同一または増加しない構造的なサイズを伴う質量の変更は不可能であろう。
【０００６】
関連するこの種の医療用または歯科医療用治療機器を使用して、所要の大きさの振幅を有する振動を達成するために、および／または一定の作業出力を得るために、器具用に存在する駆動システムは、質量が器具の所要の機能に合致しなければならない振動システムを備える。例えば、特定の種類の治療用の治療機器について、特定の振幅、例えば大きい振幅または小さい振幅の要望があることがある。特に治療機器に、一定または均一の任意の作業出力を有する複数の種々の器具が備えられる場合、振動システムにさらに混乱が生じる恐れがある。
【０００７】
かくして本発明は、例えば、器具および／または種々の振幅についておよび／または種々の出力についての種々の要求事項に適切であるように構成する目的も有する。
【０００８】
この目的は、請求項３の特徴により達成される。本発明の有利な発展は、関連する従属項に示される。
【０００９】
本発明の治療機器には、機械工場においてまたは使用者により選択的に取り付けまたは交換できる、種々の質量の複数の振動ロッドが設けられる。この手段により治療機器は、例えば、種々の質量または質量効果を有する選択的に交換自在な器具に対して、または、所要の振幅または出力の特定の大きさに対して適応される。好ましくない振動関係では振動システムが混乱し、かくして出力を十分に利用できないので、本発明による構成により出力の利用が改善される効果をもたらし、それは入手できる振動ロッドの特定の１本を交換または取り付けることにより達成できる。この設置は、治療機器を特定の種類の用途に備えることになる場合、治療機器の機械工場組立の際に実施できる。その情報は、使用者により前以て示されるので、機械工場における組立の際に考慮できる。振動ロッドを使用者により取り付け可能または交換可能である場合、使用者は、治療機器を所要の意図される用途または複数の用途に適応できる。ここでしかしながら、特定の振動ロッドの取り付けまたは交換を僅かな労力で可能にする、振動ロッド用の取付け機構の構成が必要である。
【００１０】
本発明による構成も、出力用の設定機構を有する治療機器にも十分に適している。特定の質量の振動ロッドの選択的な取り付けにより、振動システムは、特定の出力設定値に適応できるか、または、その振幅出力の大きさは、置換の意味で増減できる。
【００１１】
従属項は、振動ロッドの少なくとも１つのベース部分の構成部材または複数の構成部材を簡単で確実に固定でき、かつ簡単で経済的な製造方法をもたらす特徴を含み、これは僅かな労力で実施できる。
【００１２】
本発明は、請求項１の特徴または従属項の１つの特徴を有する振動ロッドにも関する。振動ロッドの手段により達成できる利点に関して、反復を避けるために、利点の上述の説明を専ら注目する。
【００１３】
上記の通り、請求項１に係る本発明の医療用または歯科医療用治療機器は、グリップスリーブ（１１）と、グリップスリーブ（１１）内に縦方向に延び、かつ半径方向またはさらに軸方向に弾性的に柔軟な仕方でその中に取り付けられ、その前端が器具（３）のための解除自在の器具カップリング（４）のカップリング要素を構成する振動ロッド（１３）と、グリップスリーブ（１１）において配置された定置部分（２１）と、振動を振動ロッド（１３）に伝達するための振動発生機構（３１）を備える医療用または歯科医療用治療機器（１）であって、振動ロッド（１３）は、互いに２つの側で並ぶ２つの突出るピン（２６）を備え、そこにおいて弾性的に圧縮可能な材料のリング（２８）が設けられ、それによりピン（２６）は、定置部分（２１）における窪み（２７）において係合することを特徴とする。
また、請求項２に記載の本発明の医療用または歯科医療用治療機器は、請求項１に記載の医療用または歯科医療用治療機器において、前記ピン（２６）のそれぞれは断面形状が丸いことを特徴とする。
また、請求項３に記載の本発明の医療用または歯科医療用治療機器は、請求項１または２に記載の医療用または歯科医療用治療機器において、グリップスリーブ（１１）の先端部において、弾性的に圧縮自在のベアリングスリーブ（１４）は挿入され、軸方向に固定され、その内周面において、少なくとも１つのベアリングリング（１５ａ，１５ｂ）は配置され、それはしっかりと振動ロッド（１３）を囲み、支持することを特徴とする。
また、請求項４に記載の本発明の医療用または歯科医療用治療機器は、請求項３に記載の医療用または歯科医療用治療機器において、前記ベアリングスリーブ（１４）は、ゴムまたはプラスチックから構成されることを特徴とする。
また、請求項５に記載の本発明の医療用または歯科医療用治療機器は、請求項３に記載の医療用または歯科医療用治療機器において、前記ベアリングスリーブ（１４）は、シリコーンから構成されることを特徴とする。
また、請求項６に記載の本発明の医療用または歯科医療用治療機器は、請求項３乃至５の何れかに記載の医療用または歯科医療用治療機器において、前記ベアリングスリーブ（１４）は、２つのベアリングリング（１５ａ，１５ｂ）から構成される内周面に、互いに軸方向に離間し、そして、それらは、振動ロッド（１３）をしっかりと囲みそして支持することを特徴とする。
また、請求項７に記載の本発明の医療用または歯科医療用治療機器は、請求項３乃至６のいずれかに記載の医療用または歯科医療用治療機器において、その外表面においてベアリングスリーブ（１４）は、１または２つの半径方向の突起部（１６ａ，１６ｂ）を備え、前記突起部は、軸方向に互いに離間し、それぞれが、グリップスリーブ（１１）の内側表面においてラッチ窪み（１７ａ，１７ｂ）において弾性的に固定されることを特徴とする。
また、請求項８に記載の本発明の医療用または歯科医療用治療機器は、請求項３乃至７のいずれかに記載の医療用または歯科医療用治療機器において、グリップスリーブ（１１）は、その断面サイズにおいて前方にまとまり、グリップスリーブ（１１）の内表面のまとまりが、ベアリングスリーブ（１４）の前方の移動に対して停止部を形成するように、前記ベアリングスリーブ（１４）が前方にまとまっていることを特徴とする。
また、請求項９に記載の本発明の医療用または歯科医療用治療機器は、請求項１乃至８のいずれかに記載の医療用または歯科医療用治療機器において、振動発生機構（３１）は、振動ロッド（１３）に配置された空気式の振動発生機構であることを特徴とする。
また、請求項１０に記載の本発明の医療用または歯科医療用治療機器は、請求項９に記載の医療用または歯科医療用治療機器において、空気式振動発生機構（３１）は、振動ロッド（１３）の中間部分に配置され、ベアリングスリーブ（１４）により囲まれていることを特徴とする。
また、請求項１１に記載の本発明の医療用または歯科医療用治療機器は、請求項１０に記載の医療用または歯科医療用治療機器において、減衰スリーブ（３５）は、振動発生機構（３１）とベアリングスリーブ（１４）との間に配置されることを特徴とする。
【００１４】
【実施例】
以下に、代表的な実施例の有利な構成を参照して、本発明およびそれにより達成できる別の利点を詳細に説明する。
【００１５】
全体が１として示される治療機器は、好ましくは直線状に延びるロッド状のハンドピース２、および解除自在の器具カップリング４の手段によりハンドピース２の前端部領域へ接続されかつハンドピース２から前方へ突出る器具３を備える。ハンドピース２の後端部は、解除自在のハンドピースカップリング５の手段により屈曲自在の供給ライン７の接続部分６へ離脱自在に接続され、その屈曲自在の供給ラインは、図示されない制御装置から延び、またそのライン内で所謂媒体ラインが、ハンドピースカップリング５を通過しハンドピース２まで延びる。ここで例えば、少なくとも電気ライン、照明ライン、水ライン、空気ラインまたは水／空気噴霧ラインを含むことができる。
【００１６】
ハンドピースカップリング５は、急速締結式カップリングであるのが好ましく、特に、断面が丸く段状に形成されるカップリングピン８、およびこのカップリングピンを受容するカップリング窪み９を有する差込式カップリングまたは差込回し式カップリングの形態であるのが好ましい。この代表的な実施例においてカップリングピン８は接続部分６から前方へ延び、またカップリング窪み９は、ハンドピース２の後端部領域において同軸に配置されるので、後方へ開放する。
【００１７】
ハンドピース２の主要な部分は、幾分丸い断面形状で、ハンドピース２の外部本体を形成するグリップスリーブ１１であり、その断面サイズが、幾分前方に先細になるので、前端部領域は、円錐の仕方で前方外側へ末広になることができる。これらの手段により断面増加部分１２が設けられ、ハンドピース２の掴み性を向上し、かつハンドピース２を保持する操作手の滑りを防止するか、または滑りにくいようにする。
【００１８】
差込式カップリングまたは差込回し式カップリングの後方領域において、ラッチ掛け手段１０が設けられ、連結時と連結を外す時に手操作でラッチに打ち勝つことができ、また連結位置においてカップリングピン８のラッチ掛けに手操作で打ち勝つために、半径方向に弾性的に柔軟に配置されるラッチ掛けエレンメントを有する。
【００１９】
カップリング窪み９は、グリップスリーブ１１の後端部領域に配置され、それによりラッチ掛け手段１０が、グリップスリーブ１１とカップリングピン８との間で機能する。
【００２０】
グリップスリーブ１１において、好ましくは同軸で配置される振動ロッド１３が、弾性戻り力に対して半径方向またはさらに軸方向に移動自在であり、かくして弾性的に柔軟に取付けられるので、振動ロッド１３は、特に音波または超音波の範囲の周波数を有する半径方向および好ましくはさらに軸方向の三次元オシレーション乃至振動を実施できる。この取付けのために、弾性的に圧縮自在の材料のベアリングスリーブ１４が、グリップスリーブ１１内に置かれ、グリップスリーブ１１の前端部領域または前方半分において軸方向に固定され、またそのベアリングスリーブの内面上に少なくとも１個のベアリングリングが形成されて、振動ロッド１３を密接して囲み、ロッドを取付けるので、例えば、ゴムまたはプラスチック、特にシリコーンから成るベアリングスリーブ１４の弾性により、振動ロッド１３は、半径方向および好ましくは軸方向または三次元の振動を実施できる。特にスリーブ１４が、好ましくは、さらに振動ロッド１３の中間領域に配置され、後述される振動発生装置の領域だけに配置される場合、スリーブ１４は吸音または弱音化材料のものでよい。
【００２１】
この構成によりベアリングスリーブ１４は、特に内側に突出る丸みを付けたビードの形態の２つのベアリングリング１５ａ、１５ｂを有し、それらの内で振動ロッド１３が直接または装着部分の手段により取付けられ、それらのリングはかくして半径方向ベアリング部Ｒ１、Ｒ２を形成する。
【００２２】
グリップスリーブ１１におけるベアリングスリーブ１４の軸方向位置決めのために、グリップスリーブ１１の内面上の肩部表面が役立つことができ、その肩部表面上に、ベアリングスリーブ１４の外面上で対向する肩部表面が当接する。この構成によりベアリングスリーブ１４は、その外面において、互いに軸方向に離間する１つまたは２つの半径方向突起部１６ａ、１６ｂを有し、それらの突起部は、好ましくは丸みを付けた環状ビードの手段によりそれぞれ形成され、取付けられた位置において、弾発される仕方で、かくして弾性的な仕方で、好ましくは環状溝の手段により形成されるラッチ窪み１７ａ、１７ｂ中にラッチ掛けされる。この代表的な実施によりグリップスリーブ１１が、その断面サイズにおいて前方へまとまり、このまとまりによりベアリングスリーブは、前方方向における停止部の仕方で移動限界を見出すので、後方への移動を限定する肩部表面だけが必要となる。前方へまとまる円錐部１４ａの代わりに、ほぼ円筒形形状部に外部肩部表面を設けることもできる。半径方向突起部１６ａ、１６ｂすなわち環状ビードは、ベアリングスリーブ１４のそれぞれの軸方向位置決めを有効に実現し、それによりベアリングスリーブ１４を後部からグリップスリーブ１１中に挿入できるので、半径方向突起部１６ａ、１６ｂが半径方向に弾発され、取付け端部において、ラッチ窪み１７ａ、１７ｂ中に自動的に弾性的にラッチ掛けされるので、ベアリングスリーブ１４の軸方向位置決めが確実に実施される。ベアリングスリーブ１４の長さは、基準寸法Ｌの手段により明確にされる。
【００２３】
振動ロッド１３の軸方向位置決めのために、ベアリングスリーブ１４上と振動ロッド１３上、またはそれらへ装着される部分上に肩部表面および対向する肩部分表面が設けられ、振動ロッド１３の前方への移動、および後方への移動（図示されない）が防止される。この構成により、少なくとも１つの、ここでは前方の半径方向ベアリングリング１５ａが肩部表面１８を後方に形成し、その上へ、振動ロッド１３が、振動ロッド１３へ装着される部分上の対向する肩部分表面１９で間接的に当接する。これは以下でさらに説明される。
【００２４】
後方の位置決めのために、ベアリングスリーブ１４および／または振動ロッド１３は、その上の後方に配置され、全体として２１で示される定置部分により拘束することができ、その定置部分２１は、同様にグリップスリーブ１１内に半径方向または軸方向に弾性的に柔軟に取付けられ、またこの代表的な実施例の場合に、グリップスリーブ１１またはハンドピース２の後端部領域まで延び、かつグリップスリーブ１１にネジ込まれる環状ナット２２の手段により後方に拘束される。グリップスリーブ１１内に定置部分２１を半径方向に弾性的柔軟に取付けるために、例えば、ゴムまたはプラスチックのような弾性的に柔軟な材料の少なくとも１つのベアリングリング２３を設けることができ、そのリングは、定置部分２１の外面とグリップスリーブ１１の内面との間に配置される。
【００２５】
振動ロッド１３は、スリーブ状の本体であり、その前端部領域へ器具３が器具カップリング４の手段により離脱自在に接続される。器具カップリング４は、好ましくは既知のネジ接続部であり、雌ネジと、および振動ロッド１３の前端部領域における好ましくは円錐形ネジ停止部２０と、および軸方向に延びる器具シャフト３ｂの後端部におけるネジ込みピン３ａとを有し、シャフト３ｂは、前部から導入できる特定のキーでネジ接続部を締め付けまたは緩めることができるように、厚肉部の領域において、器具係合エレンメント３ｃ、例えばキー表面を有する。
【００２６】
鎌状器具セクション３ｄが、器具シャフト３ｂ上において前方へ隣接し、その鎌状器具セクションは、その形態においてハンドピース２の縦方向中間軸２４の一方の側に対して先ず円形鎌状に外側へ曲げられ、縦方向中間軸２４の他方の側で直線状に延びる器具先端３ｅの形態で終了し、その先端３ｅは、特に歯垢除去に適切なように平形にされるか、または丸みを付けられる。
【００２７】
振動ロッド１３は、直線状に延びるスリーブ状の本体を有し、その環状壁２５は、後部領域よりも前方領域の方が厚いのが好ましい。振動ロッド１３をさらに軸方向に位置決めするために、適切である場合、振動ロッド１３は、その後方領域において丸い断面の横方向に突出るピン２６を有することができ、それらのピン２６は、環状間隔を維持しながら定置部分２１における窪み２７と係合し、また、ピン２６を囲む、例えば、ゴムまたはプラスチックのような弾性的に圧縮自在の材料から成るリング２８の手段により縦方向と円周方向に定置部分内に弾性的に柔軟に位置決めされる。これは、リング２８が、関連するピン２６と関連する窪み２７上に、僅かに移動に遊びを付けるか、または僅かに弾性的に伸張させて、着座することで確実にされる。
【００２８】
関連する振動駆動機構は、この代表的な実施例により、空気式振動発生機構３１により形成され、その発生機構は、振動ロッド１３の中間領域に配置され、かつ半径方向に移動の遊びを有して振動ロッド１３を囲む振動スリーブ３２と、および振動スリーブの領域内の環状壁を斜めに貫通する穴３３との手段により、本質的に既知の仕方で形成される。振動スリーブ３２の軸方向の移動範囲は、振動スリーブ３２の両側へ、そこから軸方向に離間して配置されるリング、例えばＯ−リング３４の手段により拘束され、リングのそれぞれは、振動スリーブ１３の外面の環状溝内に着座する。
【００２９】
振動発生機構３１は、半径方向に離間して減衰スリーブ３５により囲まれ、そのスリーブを、振動ロッド１３上、または定置部分２１上に軸方向および／または半径方向に支持できる。この構成により、減衰スリーブ３５の後方の中空円筒形端部セクションが定置部分２１の前端部セクション上に係合するので、これらの部分間で、環状溝内に封止および／またはサポートリング２７を配置できる。さらに減衰スリーブ３５は、内部肩部表面３６で定置部分２１へ当接できるので、後方への移動が限定される。減衰スリーブ３５は、ベアリングリング１５ａまで前方へ延びることができるので、対向肩部表面１９を形成できる。前端部領域において減衰スリーブ３５は、その後方断面に関して先細である。この後方領域において減衰スリーブ３５は、ベアリングスリーブ１４内に、好ましくはベアリングリング１５ｂ内に取付けできる。
【００３０】
制御機構が、振動発生機構３１の出力を増減するために、その機構へ接続される。これらの手段により、その出力または振動の強さ、および振幅のサイズを選択的に増減でき、かくして設定できる。それにより、好ましくは一定出力を自動調整する出力調整機構４１および／または手動設定自在の制御機構４２を設けることできるので、振動発生機構３１へ伝達可能な出力または駆動圧力は、可変であり、かくして段階的にまたは連続的に増減可能である。制御機構４２を作動するために、好ましくはハンドピース２またはグリップスリーブ１１の後端部領域に設定機構４３が設けられる。これらの手段により、治療機器１の出力は、達成すべき作業、例えば、荒いもしくは細かい作業または荒い、並みのもしくは細かい作業に適応できるか、または治療および／または治療すべき物質の種々の種類に適応できるし、および／または種々の入手できる器具３の形状および／またはサイズおよび／または一層荒い、一層細かいまたは一層荒い、並みのおよび／または一層細かい機能に関して適応できる。
【００３１】
手動で実施できる設定機構４３は、外部から手操作でアクセスできるように、かつグリップスリーブ１１上で軸方向または円周方向に調整できるように配置される設定部材４４を有し、その設定部材は、制御機構４２へ駆動接続され、および／または制御機構を形成する。この構成において設定部材は、ハンドピースの後方領域においてグリップスリーブ１１を囲む設定スリーブであり、環状窪み４５内に差込み配置されるのが好ましい。この代表的な実施例により制御機能４２は、振動発生機構３１において有効な空気圧ｐ１を効果的に制御する目的のために制御弁４６を有する。ここで設定部材４４は、設定部材が軸方向に移動自在である場合に直接に、または設定部材の回転移動を軸方向移動に変換する変換機構４７により、弁スライダー４８へ接続され、その弁スライダーは、設定部材４４の設定値に応じて弁開口部４９のサイズを制御する。弁開口部４９は、圧縮空気供給ライン５１、ここでは横方向に設けられるアングルチャンネルの領域内のハンドピースカップリング５の下流側に位置決めされる。振動出力を減少するために弁スライダー４８は、弁開口部４９を減少する意味で設定機構４３に置換されるので、弁開口部４９は、調整自在のスロットルの意味で、振動発生機構３１に作用する圧力ｐ１を減少する。出力を増加するために弁開口部４９は、反対に大きくされるので、大きい付与圧力ｐ１が設定される。設定部材４５の戻り移動は、ハンドピース２中に突出る設定部材４４の装着部分上に配置される斜めまたは湾曲した表面５４に対して、弁スライダー４８に作用する押しロッド５３を押圧する戻りバネにより達成できる。
【００３２】
付与圧力ｐ１を設定する制御機構７２に加えて、またはその代わりに、供給ライン５１における利用できる作動圧力ｐ２と関係なくほぼ一定の有効圧力ｐ１を設定する圧力調整弁５５を有する自動圧力調整機構を設けることが有利である。これらの手段により、作動圧力ｐ２にかなりの許容範囲または相違があっても、例えば、種々の作動圧力ｐ２を有する、特に種々の製造業者からの供給ライン７へ治療機器を接続したときに、ほぼ同一の作業条件と器具３のほぼ均一な出力または強さが得られる。
【００３３】
制御弁４６と調整弁５５が存在する場合に、弁スライダー４８は、供給ライン、ここでは軸平行供給ラインセクション５１ｂに配置され、好ましくはそのラインに縦方向に変位できるように取付けられる。弁開口部４９を、弁スライダー４８の端縁により制御できる。
【００３４】
この代表的な実施例において、圧力調整弁５５と組合せて制御機構または手動設定機構４３が設けられる。弁スライダー４８は、その一方の端部において有効圧力ｐ１により作動し、その他方の端部において、戻りバネ５２でよい圧力バネによりその開放位置に反対方向に押圧される。この構成において弁スライダー４８は、振動発生機構３１から離れた端部において床壁４８ａを有する丸いまたは丸くないポット状スリーブである。弁開口部４９は、供給ライン５１ｂの半径方向セクションと協働する半径方向内側にある周辺壁４８ｂ内に配置される。開放位置において弁スライダー４８は、バネにより、停止部４８ｃ、ここではソケット片に対して押圧される。バネスパイク４８ｄが、弁スライダー４８から後方へ延び、そのバネスパイク上に、圧力バネ５２が、着座し、かつ後方の対向するベアリング部材、ここでは押しロッド５３に対して支持される。
【００３５】
所要の質量を有する振動ロッド１３を設定または設置できるように、その質量を増減可能に、または種々の質量の複数の振動ロッド１３を設けるように、振動ロッド１３を形成するのが有利である。これらの手段により、振動ロッド１３の質量の変更を通して、または振動ロッド１３の交換を通して、振動ロッド１３の所要の発生出力および／または好ましい振動作用を得ることができるので、利用できる出力を一層良く活用できる。
【００３６】
種々の質量の複数の振動ロッド１３を、同一または異なる寸法および／または種々の相対的密度の物質から成る振動ロッド１３の製造を通して形成できるので、同一または異なる横方向および／または縦方向の寸法を有する振動ロッド１３を形成できる。
【００３７】
この代表的な実施例により、異なる質量は、振動ロッド１３の装着部分６１により得られ、その装着部分は、特に離脱自在に、固定してすなわち非可動的に装着でき、あるいは、好ましくは振動ロッド１３の後端部領域において永久的に装着される。これにより異なる質量を、装着部分６１無しの振動ロッド１３と装着部分６１付きの振動ロッド１３が設けられることで、得ることができる。さらに質量のばらつきは、振動ロッド１３へ選択的に接続できる、種々の質量の複数の装着部分６１を設けることにおいて達成できる。ここで種々の密度の材料から成る、および／または種々の横方向および／または縦方向寸法を有する装着部分６１も同様に含むことができる。
【００３８】
この代表的な実施例により、前端部において先細の中空円筒形差込式ピン６１ａを有する装着部分６１が設けられ、その装着部分は、離脱自在にまたは離脱不能に後部から振動ロッド１３のスリーブ本体中に挿入され、かつ例えば半径方向締め付け作用または圧入により、意図されない変位に抗するように位置決めすることができる。装着部分６１は、その厚くされた本体部分６１ｂで、振動ロッド１３から後方へ突出し、その断面形状が、環状壁２５の断面形状とサイズへ適応されるのが好ましい。装着部分６１は、振動ロッド１３の材料よりも大きい特定の密度を好ましくは有する材料から成る。振動ロッド１３は、例えば、耐食合金鋼または銅ベリリウム合金（ＣｕＢｅ）から成るのが好ましい。装着部分または複数の装着部分６１は、例えば、別の金属または別の合金鋼または硬質金属でもよい。硬質金属は、硬質材料として大部分が炭化タングステンおよび結合剤としてコバルトから構成される焼結物質である。ＩＳＯに従って分類される硬質金属タイプＫ１０は、本目的に非常に良く適している。図７が示すように、装着部分６１は、上述の方法で壁２５内に着座するスリーブにより形成できる。それにより、図６と７による振動ロッドは、図６に従って振動ロッド１３から後方へ突出ることができるか、または、壁２５は、装着部分６１のスリーブと面一になる端部まで後方へ延びることができる。両方の構成は、幅を増加することなく振動ロッド１３の質量を増加する例を示す。
【００３９】
種々の質量を有する２本またはそれ以上の振動ロッド１３は、目的にかなった設置または交換を通して種々の出力もしくは振動幅または振幅を設定できるので、選択的設置により、出力調整機構４１または制御機構４２を置換できる。出力調整機構４１または制御機構４２へ加えて、機械工場においてまたは使用者により設置できる、種々の質量を有する２本またはそれ以上の振動ロッド１３を利用できる場合、設置または交換により、出力または振動幅の設定は、増加（重い振動ロッド１３）または減少（軽い振動ロッド１３）の意味で置換できる。
【００４０】
グリップスリーブ１１および好ましくはベアリングスリーブ１４は、振動ロッド１３の前端部または器具カップリング４から、「ａ」で示される寸法だけ軸方向に突出るので、器具シャフト３ｂを半径方向に離間して囲み、かつ好ましくは、円形鎌状湾曲部の後端部領域まで延びる。
【００４１】
ベアリングスリーブ１４の内部形態は、振動ロッド１３と減衰スリーブ３５の断面形状とサイズへ適応されるので、ベアリングリング１５ａ、１５ｂ近くの領域において、ベアリングスリーブ１４と振動ロッド１３と減衰スリーブ３５との間に環状間隙を配置できる。これらの手段により、前方領域よりも薄い壁厚を有する後部領域にベアリングスリーブ１４が形成され、その前方領域において、ベアリングスリーブは、減衰スリーブ３５と振動ロッド１３の前方領域の断面減少に対応して厚くされる。
【００４２】
機能的操作において振動発生機構３１とハンドピース２は、作動騒音を発生し、その騒音は、振動スリーブ３２の振動を通して発生される音として、または固体伝送音として周囲へ放出される。振動発生機構３１の領域における作動騒音は、減衰スリーブ３５の減衰効果に加えてベアリングスリーブ１４により減衰され、そのベアリングスリーブは、振動発生機構３１を囲み、かつ好ましくはその機構から後方へ突出る。この減衰効果は、ベアリングスリーブ１４と減衰スリーブ３５との間で少なくとも振動発生機構３１の領域において延びる環状間隙６５ａによりさらに減衰される。グリップスリーブ１１とベアリングスリーブ１４との間で振動発生機構３１の軸方向領域に環状間隙６５ｂを設けることも有利であり、その環状間隙により、付加的な減衰効果を生じることができる。この環状間隙６５ｂは、ベアリングスリーブ１４の外面またはグリップスリーブ１１の内面における環状窪みにより形成できる。それは、半径方向突起部１６ａまたは窪み１７ａとの間に配置できる。ベアリングスリーブ１４の全長Ｌを通して作用する減衰効果は、その弾性的に圧縮自在な材料により増加する。
【００４３】
グリップスリーブ１１および／またはベアリングスリーブ１４が振動ロッド１３または器具シャフト３ｂを囲むことができる領域「ａ」において、騒音減衰が同様に達成されるので、特に、器具カップリング４と器具シャフト３ｂから放出される固体伝達騒音が減衰される。伸張部「ａ」により、約１５ｄＢの騒音減衰を達成でき、またこれは、内面を弾性的に柔軟な材料で被覆しなくても達成できることが試験により分った。後方半径方向ベアリング部分Ｒ１は、半径方向環状押縁１６ａ、１６ｂの間、または環状間隙６５ｂの領域に配置されるのが好ましい。
【００４４】
機能的操作において、一方では振動ロッド１３が、また他方では器具３が、細長い構造により、横方向に向けられる振動（図５）を実施し、その振動は、正弦波の形態で発生し、すなわち互いに続く縦方向セクションＬ１，Ｌ２，Ｌ３において互いに反対方向に向けられる。縦方向セクションＬ１，Ｌ２，Ｌ３の間において振動ノードＳ１，Ｓ２，Ｓ３があり、そこにおいて振幅は実際的にゼロである。振動ノードＳ１，Ｓ２，Ｓ３の間において振幅ピークＡ１，Ａ２が中間に位置決めされる。後部振動ノードＳ１は、振動ロッド１３の後端部から間隔Ｌ４の所にあり、その間隔は、長さＬの約４分の１であり、また好ましくは後方弾性半径方向ベアリング部分Ｒ１の領域内に配置される。前方（振動ロッド１３を指す）振動ノードＳ２は、前方弾性半径方向ベアリング部分Ｒ２の領域に位置決めされるのが好ましい。前方振動ノードＳ３は、弓状であるように形状となる器具セクション３ｄの中間領域に位置決めされるのが好ましい。後方振動ノードＳ１の縦方向位置は、質量とその重心ＳＰ１を通して、振動ロッド１３の残りの本体の重心ＳＰ２を考慮して、変えることができ、かつ好ましくは、後方振動ノードＳ１が後方弾性半径方向ベアリング部分Ｒ１の領域内に位置決めされるように適応される。
【００４５】
同一または同様な部分が同一の参照符号が示される図８乃至１０による代表的な実施例は、下記のように構成の詳細が異なる。
【００４６】
図８による構成において、器具カップリング４の領域において縦方向に分割されるグリップスリーブ１１が設けられるので、後部スリーブ部分１１ａおよび前部カップ状または細長いグリップスリーブ部分１１ｂが設けられ、それらの部分は離脱自在のカップリング６６により互いに接続され、それにより前部グリップスリーブ部分１１ｂは、半径方向に間隔を付けて器具シャフト３ｂを囲み、鎌状器具セクション３ｄの転移領域中に延びる。図５による離脱自在のカップリング６６は、ネジ接続部により形成され、それにより後部グリップスリーブ部分１１ａは、その前端部に雌ネジを有し、その雌ネジ中に前部グリップスリーブ部分１１ｂが、その後端部にある雄ネジでネジ込まれ、停止部６７に対して締め付けられる。その前端部領域において振動ロッド１３が、弾性的に柔軟に取付けられ、ベアリングリング６８内の中心に合わせられ、弾性的に圧縮自在の、かつ好ましくはゴムまたはプラスチック、例えばシリコーンのような吸音材料から成る後部グリップスリーブ部分１１ａの前端部領域に定置される。ベアリングリング６８は、弾性的に柔軟な材料の内部ベアリングリング６８ａ、例えばＯ−リングが中に配置され、そこにおいて振動シャフトが弾性的柔軟に取付けられる場合、非弾性材料、例えば鋼または合金鋼のものでよい。
【００４７】
図９による代表的な実施例は、グリップスリーブ部分１１ｂが、その外部形態、および該当する場合、その内部形態に関して、前方に先細であり、かつ例えば、ベアリングリング６８にネジ込まれる点で図８によるものと異なる。この外部の、好ましくは円錐状先細であることは、機能的操作において目視的な観察を向上する。さらに治療個所の照明は、後で説明される照明機構７１により改善される。ベアリングリング６８を、後部グリップ部分１１ａ内のベアリング内腔内の段付き肩部６８ｂにより、その肩部を停止部として、押出し移動に対して拘束できる。
【００４８】
図１０による代表的な実施例においてカップリング６６は、差込式接続部またはバイヨネット(bayonet)式接続部により形成されるので、前部グリップ部分１１ｂが好ましくは後部グリップ部分１１ａの前端部上に係合する。前部グリップスリーブ部分１１ｂは、剛性材料、もしくは弾性的に変形自在または圧縮自在、もしくは音波吸収または弱音化材料のもの、例えば耐食金属、合金鋼、ゴムまたはプラスチック、例えばシリコーンのものでよい。特にグリップスリーブ部分１１ｂが弾性的に柔軟な材料である場合、カップリング６６は、グリップ部分１１ｂの後端部において半径方向内側へ向けられたラッチノーズまたはラッチリングを有するラッチ掛け機構の手段によっても形成でき、そのラッチは、後部グリップ部分１１ａ上のラッチ掛け溝に、差し込むときに、好ましくは離脱自在にラッチ掛けする。
【００４９】
図１０による構成により、前部グリップ部分１１ｂの内面上の音波減衰および／または音波反射構造７２が明確になる。そのような構造は、例えば、音を内側に反射する前方へ先細の、または斜めの、または丸く形成された環状表面により形成できる。ここで、この内面は、鋸歯状形態を有することができる。図１による代表的な実施例と同様に、グリップ部分１１ｂの内面には、弾性的に圧縮自在な材料を被覆すること、または占めることができる。
【００５０】
ハンドピース２は、ハンドピース２の前端部において少なくとも１つの光出口窓７３を備えた照明機構７１を有することができる。光出口窓７３は、ベアリングスリーブ１４または６８内に配置されるのが好ましい。縦方向中間平面Ｅの両側に特に設けられる少なくとも２つの光出口窓７３を設けることが有利であり、その平面において、器具セクション３ｄの自由端部領域は、位置決めされるか、または横方向に偏る場合は、例えば、図２に示されるようにほぼ平行に延びる。この代表的な実施例において少なくとも１つの光出口窓７３は、ベアリングスリーブ１４を通して少なくとも部分的に縦方向に延びる光導体７４により形成される。それにより、光導体７４はベアリングスリーブ１４内に固定して埋め込まれるか、またはベアリングスリーブ１４は、光導体７４を受容するために、事前加工された穴または事前加工された内側に開放する溝７５を有することができる。図３から分るように、少なくとも１つの光導体７４は、ハンドピース２のほぼ中間位置から外部領域まで延びるので、ベアリングスリーブを通してさらに縦方向に継続する。好ましくは、共通の入口部分から分岐する２つの光導体７４が左右対称の配置で設けられる。光は、種々の仕方で少なくとも１つの光導体７４の後端部へ供給できる。ハンドピースカップリング５の領域内で、後部光導体が、ハンドピースカップリング５を通して、ここではカップリングピン８を通して同軸で延びることができ、そのカップリングから光が光導体７４に導入される。カップリングピン８の前端部領域において光源、特にランプを設けることも可能であり、その光源は、供給ラインを通して延びる電源供給回路へ接続される。光導体７４は、ベアリングリング６８内に定置または埋め込まれる光導体リング７６まで延びることができ、その光導体リングから１つ以上の光導体セクション７７が光出口窓７３まで前方へ延びることができる。
【００５１】
機能的な操作において、供給ライン５１を通して送出される圧縮空気は、振動発生機構３１を通して内側から外側へ流れる。使用済み空気は、減衰スリーブ３５の内部室からハンドピース２の環状自由空間７８に流入し、ついで差込回し式カップリング５の領域まで後方へ流れ、そこからカップリング窪み９と横方向に封止されるカップリングピン８との間に中空円筒形または段状の中空円筒形ジョイントを通過し、既に知られているように、送出ライン７９または後方へのチャネルとしてカップリングピン８中に延びる。治療流体、例えば、空気または水もしくはそれらから形成される噴霧体用の別の供給ライン８１が、カップリングピン８内で同様に軸方向に延び、半径方向に封止される仕方で８２においてその円筒形ジョイントを通過し、ついで例えばチューブ８３としてさらに前方へ軸方向に延び、光導体７３の入口部または分岐部の背後にある供給パイプ８４へ中央で接続され、その供給パイプは、振動ロッド１３内で同心で前方へ延び、封止される仕方で、器具３内の縦方向チャネル８５と接続した状態で置かれる。治療個所へ向けられる縦方向チャネル８５用の器具３内の出口開口部は、図示されないが、存在し、既知のものである。
【００５２】
図１１による代表的な実施例により前部グリップスリーブ部分１１ｂは、後部グリップスリーブ部分１１ａ内で間接的または直接的に軸方向に変位自在に取付けられ、またバネ８６の力により、その押し出された位置まで作用され、その位置において、その押し移動は停止部８７により限定される。図１１に示されるように前部グリップスリーブ部分１１ｂは、ベアリングリング６８内の内部環状窪み８８に取付けることができ、そのリングはかくして縦方向ガイドを形成する。環状窪み８８の先細部の肩部表面８９は、停止部８７を形成でき、その停止部は、グリップスリーブ部分１１ｂの後端部領域における半径方向環状装着部の肩部表面と協働する。
【００５３】
図１１による代表的な実施例において、周辺に分散配置される１つ以上の、例えば３つの光出口窓７３を有する、図９による構成と同様な照明機構７１が追加的に設けられ、その窓まで光導体セクション７７が延びるそれぞれの場合に、そのセクションは、ベアリングリング６８内に定置または埋め込まれる光導体リング７６から始まる。この構成とともに前部グリップスリーブ部分１１ｂは、例えば、患者の口内に一層自由な空間を生成するために、または係合エレンメント３ｃへのアクセスを容易にするために、突出し「ａ」を減少するように押し込むことができる。
【００５４】
差込回し式カップリング５により、接続部分６に関して治療機器１の縦方向軸の回りに治療機器を拘束されないように回すことができるので、どのような回転位置においても、封止された仕方での媒体の通過が確実に実施される。
【００５５】
機能的な操作の場合に治療機器１または振動発生機構３１にスイッチを入れるために、スイッチ、ここでは供給ライン５１内のスイッチ操作弁の形態のスイッチが設けられ、そのスイッチは、操作者の手または足で作動できる。
【図面の簡単な説明】
【図１】本発明による治療機器の軸方向断面図である。
【図２】左から見た治療機器の端面図である。
【図３】上から見た治療機構の図である。
【図４】治療機器の弾性的に圧縮自在な材料のスリーブ状ベアリング部分の側面図である。
【図５】振動線図を付けた、治療機器の前端領域の図である。
【図６】拡大した縮尺で表される治療機器の振動ロッドの軸方向断面図である。
【図７】振動ロッドの変更した構成の図である。
【図８】本発明による治療機器の前端領域の変更した構成の図である。
【図９】本発明による治療機器の前端領域のさらに変更した構成の図である。
【図１０】本発明による治療機器の前端領域のさらに変更した構成の図である。
【図１１】本発明による治療機器の前端領域のさらに変更した構成の図である。
【符号の説明】
１          医療用または歯科医療用治療機器
２          ハンドピース
３          器具
３ｂ        器具シャフト
３ｃ        器具係合エレンメント
３ｄ        器具セクション
３ｅ        器具先端
３ｄ        鎌状器具セクション
４          器具カップリング
５          ハンドピースカップリング
６          接続部分
７          供給ライン
８          カップリングピン
１０          ラッチ掛け手段
１１          グリップスリーブ
１１ａ        後部グリップスリーブ部分
１１ｂ        前部グリップスリーブ部分
１２          断面増加部分
１３          振動ロッド
１４          ベアリングスリーブ
１４ａ        円錐部
１５ａ        ベアリングリング
１５ｂ        ベアリングリング
１６ａ        半径方向環状ビード
１７ａ        ラッチ窪み
１７ｂ        ラッチ窪み
１８          肩部表面
１９          肩部分表面
２０          円錐形ネジ停止部
２１          定置部分
２２          環状ナット
２３          ベアリングリング
２４          縦方向中間軸
２５          環状壁
２６          ピン
２７          定置部分における窪み
２８          リング
３１          振動発生機構
３２          振動スリーブ
３３          穴
３４          Ｏ−リング
３５          減衰スリーブ
３６          内部肩部表面
４１          出力調整機構
４２          制御機構
４３          設定機構
４４          設定部材
４５          環状窪み
４６          制御弁
４７          変換機構
４８          弁スライダー
４８ａ        床壁
４８ｂ        周辺壁
４８ｄ        バネスパイク
４８ｃ        停止部
４９          弁開口部
５１          供給ライン
５１ｂ        供給ラインの半径方向セクション
５２          圧力バネ
５３          押しロッド
５４          表面
５５          調整弁
６１          装着部分
６１ａ        中空円筒形差込式ピン
６１ｂ        本体部分
６５ａ        環状間隙
６５ｂ        環状間隙
６６          カップリング
６７          停止部
６８          ベアリングリング
６８ａ        内部ベアリングリング
６８ｂ        段つき肩部
７１          照明機構
７２          音波反射構造
７３          光出口窓
７３          光導体
７４          光導体
７５          溝
７６          光導体リング
７７          光導体セクション
７９          送出ライン
７８          環状自由空間
７９          送出ライン
８１          供給ライン
８３          チューブ
８４          供給パイプ
８５          縦方向チャネル
８６          バネ
８７          停止部
８９          肩部表面
Ａ１，Ａ２    振幅ピーク
Ｅ            縦方向中間平面
Ｌ            全長
Ｌ１，Ｌ２，Ｌ３          縦方向セクション
Ｌ４          間隔
Ｒ１          後方半径方向ベアリング部分
Ｒ２          前方半径方向ベアリング部分
Ｓ１，Ｓ２，Ｓ３          振動ノード
ＳＰ１，ＳＰ２          重心
【図１】
0003704489.tif 000002
【図２】
0003704489.tif 000003
【図３】
0003704489.tif 000004
【図４】
0003704489.tif 000005
【図５】
0003704489.tif 000006
【図６】
0003704489.tif 000007
【図７】
0003704489.tif 000008
【図８】
0003704489.tif 000009
【図９】
0003704489.tif 000010
【図１０】
0003704489.tif 000011
【図１１】
0003704489.tif 000012